【事件の表示】
　特願２００３−１３８６４８「ゲーム機の施錠装置」拒絶査定不服審判事件〔平成１６年１２月　２日出願公開、特開２００４−３３７４１５〕について、次のとおり審決する。
【結　論】
　本件審判の請求は、成り立たない。
【理　由】
 　
第一、手続の経緯　
　本願は、平成１５年５月１６日の出願であって、平成２０年５月２８日付けで拒絶理由が通知され、これに対し、同年７月２５日付けで手続補正がなされ、平成２１年１月１６日付けで最後の拒絶理由が通知され、これに対し、同年３月１８日付けで手続補正がなされ、同年４月２４日付けで、上記平成２１年３月１８日付けの手続補正の却下の決定及び拒絶査定がなされ、これに対し、同年８月４日付けで審判請求がなされるとともに、同日付け手続補正書によって明細書の一部が補正され、その後、当審において、平成２２年８月１１日付けで、上記平成２１年８月４日付けの手続補正の却下の決定及び拒絶理由が通知され、これに対し、平成２２年１０月１３日付けで手続補正がなされたものである。
　　　
第二、本願発明について
　本願の請求項１に係る発明は、上記平成２２年１０月１３日付け手続補正により補正された特許請求の範囲の請求項１に記載された次のとおりのものである。
　【請求項１】　基枠体に鉤部材を設けてユニット化された鉤部材ユニットがゲーム機の筐体に取り付けられ、該鉤部材が係止される係止部とシリンダ錠を別の基枠体に設けてユニット化されたシリンダ錠ユニットが前扉に取り付けられ、該係止部は該シリンダ錠ユニットの基枠体の上部と下部に設けられ、該筐体に対し該前扉を閉鎖したとき、該鉤部材が該係止部に係止されて施錠されるゲーム機の施錠装置であって、
　該鉤部材ユニットの該基枠体は、平板で帯状の取付板の前面側の縁を小さくＬ形に折り曲げて曲折縁部を形成した正面視薄形形状に形成され、
　該鉤部材ユニットの基枠体の上部と下部に前記鉤部材が該取付板から突出せずに該取付板の平面内で傾動可能に枢支され、該上下の鉤部材が該基枠体に沿って摺動可能に配設された連結杆により連結され、該連結杆に係合部が設けられ、
　前記シリンダ錠ユニットの基枠体は細いＬ型のフレーム状に形成され、該基枠体の正面側に取付板が形成され、該取付板の中央部の幅広部分に該シリンダ錠がその錠軸を該基枠体の内側に入れて取り付けられ、該錠軸にカム形状の係合部材が固定され、
　該係合部材には該前扉の閉鎖時に該鉤部材ユニット側の該連結杆の該係合部と直接係合可能な係合凸部が設けられると共に、該取付板に取り付けられた非接触スイッチをスイッチングさせるための作動片が該係合部材に設けられ、
　該前扉の閉鎖時には、該シリンダ錠ユニットの該シリンダ錠の錠軸に固定された該係合部材の該係合凸部が、該鉤部材ユニットの該連結杆の該係合部と対峙する位置に進入し、該シリンダ錠の解錠操作時には、該シリンダ錠ユニットの該係合凸部が該鉤部材ユニットの該係合部に係合して該連結杆を解錠方向に摺動させることを特徴とするゲーム機の施錠装置（以下、「本願発明」という。）。
　　　
第三、刊行物に記載された発明
　刊行物１：特開平１１−６２３４６号公報　
　刊行物２：特開２００３−７０９６８号公報
　　　　　　（平成１５年３月１１日公開）
　刊行物３：特開平１１−３１９２７５号公報
　刊行物４：特開平１０−１７９８８８号公報
　　　
　当審の拒絶理由に引用され、本願出願前に頒布された特開平１１−６２３４６号公報（以下、「引用刊行物１」という。）には、次の事項が記載されている。
　（１ａ）「（５７）【要約】
【課題】  ゲーム機の扉の重量の増加を防止しつつゲーム機本体内に必要とされる錠止装置の取付スペースの拡大を抑える。
【解決手段】  複数の係止爪２１ａ、２１ａが設けられた施錠杆２１と、係止爪２１ａ、２１ａに対して係脱可能な係合突起２２ａ、２２ａを有する係合部材２２、２２と、施錠杆２１を、係止爪２１ａと係合突起２２ａとが係合する係合位置と、係止爪２１ａと係合突起２２ａとの係合が解除される係合解除位置との間で移動させる施錠杆駆動部材２５と、所定の鍵の操作に基づいて、施錠杆駆動部材２５を介した施錠杆２１の係合解除位置への駆動を許容する解錠状態と、施錠杆２１を係合位置に拘束する施錠状態とを切り換える錠２７とを具備したゲーム機の錠止装置２０において、施錠杆２１をゲーム機の本体３に、その本体３を開閉する扉５に係合部材２２、施錠杆駆動部材２５および錠２７を設ける。」、
　（１ｂ）「【０００５】そこで、本発明は、扉の重量の増加を防止しつつゲーム機の本体内に必要となる取付スペースの拡大を抑えることが可能なゲーム機の錠止装置を提供することを目的とする。」、
　（１ｃ）「【００１３】
【発明の実施の形態】図４は本発明の錠止装置が組み込まれたゲーム機の一種であるスロットマシンの一例を示している。このスロットマシン１は、縦長の筐体２の内外に各種部品を装着して構成される。筐体２は、本体３と、その上部に取り付けられるトップボックス４とを有しており、本体３の前面には扉５がその左側部に設けられたヒンジ６を介して開閉可能に取り付けられている。・・・
【００１４】図１および図２に詳細を示すように、筐体２の右側部の本体３と扉５とが突き合わされる部分には扉５の錠止装置２０が設けられている。錠止装置２０は本体３に設けられる施錠杆２１と、扉５に設けられる上下一対の係合部材２２、２２とを有している。施錠杆２１は、本体３の略上下方向に延びる長尺の板材として構成され、その上下端には第１係合部としての係止爪２１ａ、２１ａが設けられる。
【００１５】施錠杆２２（審決注：「２２」は「２１」の誤記と認める）は、その長手方向に延びる３つの長孔２１ｂ…が本体３に固定された３本の案内ピン２３…とそれぞれ摺動自在に嵌合することにより、本体３に上下動自在に支持されている。係合部材２２はボルト等の固定手段（不図示）により扉５の内面に固定され、それぞれの本体３側の端部には、係止爪２１ａに対して係脱可能な第２係合部としての係合突起２２ａ、２２ａが設けられている。
【００１６】施錠杆２２（審決注：「２２」は「２１」の誤記と認める）と最下端の案内ピン２３との間には引張コイルばね２４が取り付けられる。このばね２４による下向きの引張力と自重とによって施錠杆２１はその移動範囲の最下端の係合位置（図１の位置）に保持される。図１の位置では係止爪２１ａ、２１ａと係合突起２２ａ、２２ａとが係合して扉５が閉位置に保持される。図１の状態から施錠杆２１が上方に移動すると係止爪２１ａと係合突起２２ａとの係合が解除され、扉５の開放が可能となる。」、
　（１ｄ）「【００１７】施錠杆２１を上下方向に駆動するため、扉５の内面には施錠杆駆動部材２５が取り付けられる。施錠杆駆動部材２５は、扉５の内面に固定されたブラケット２６により施錠杆２１の移動方向と同一方向に移動自在に支持されている。施錠杆駆動部材２５には扉５の長孔５ｃを介して外方に突出する円柱状の操作摘み部２５ａ（図１参照）と、ブラケット２６から施錠杆２１に向かって突出する板状の駆動突起２５ｂとが設けられている。この駆動突起２５ｂは、扉５が閉じられたときに施錠杆２１の突起２１ｃの下端と係合する。
【００１８】扉５の操作摘み部２５ａの上方には錠２７が設けられる。錠２７は、扉５の外面側に形成された鍵穴２８ａに所定の鍵（不図示）が挿入された場合に限って回転操作が可能となる回動軸２８と、扉５の内面側において回動軸２７（審決注：「２７」は「２８」の誤記と認める）と連結された板状のロック部材２９とを有している。図３にも示したように、施錠杆駆動部材２５にはロック部材２９と対応して板状の拘束部２５ｃが設けられている。」、
　（１ｅ）「【００１９】以上の構成の錠止装置２０においては、錠２７の回動軸２８を回転操作してロック部材２９を図３（ａ）の位置に移動させると、ロック部材２９と拘束部２５ｃとが当接して施錠杆駆動部材２５の上方への移動が不可能となる。そのため、筐体２の外側から操作摘み部２５ａを操作して施錠杆２１を上方に移動させることができない。この状態では、施錠杆２１は上述したように引張コイルばね２４の力と自重とによって図３（ａ）の係合位置に保持され、係止爪２１ａと係合部材２２の係合突起２２ａとが係合状態に保持される。従って、扉５を開くことはできない。
【００２０】一方、錠２７のロック部材２９を図３（ｂ）の位置に移動させると、ロック部材２９が拘束部２５ｃから離間して施錠杆駆動部材２５の上方への移動が許容される。これにより、扉５の施錠が解除され、筐体２の外側から操作摘み部２５ａを上方に操作して施錠杆駆動部材２５により施錠杆２１を上方の係合解除位置に駆動し、それにより係止爪２１ａと係合部材２２の係合突起２２ａとの係合を解除して扉５を開放することが可能となる。このとき、錠２７の操作と、操作摘み部２５ａの操作とを扉５の上下に隣接した位置にて連続的に行えるので、扉５の解錠および開放が手際よく行える。
【００２１】扉５を閉じるときには、・・・施錠杆２１の係止爪２１ａに設けられた斜面２１ｄが係合部材２２の係合突起２２ａと接触して施錠杆２１がばね２４に抗して上方に駆動される。そして、係合突起２２ａが係止爪２１ａを越えた時点で施錠杆２１がばね２４の力およびその自重で下方に移動して係止爪２１ａと係合突起２２ａとが自動的に係合する。」、
　（１ｆ）「【００２２】本発明は上述した実施形態に限定されることなく、種々の形態で実施可能である。例えば、施錠杆２１を扉５に、係合部材２２、施錠杆駆動部材２５および錠２７をゲーム機の本体３に設けてもよい。施錠杆駆動部材２５に代えて錠２７の回動軸２８にレバー状の施錠杆駆動部材を直接に装着し、施錠および解錠の切り換え操作と、施錠杆の駆動による扉の開閉操作とを同一個所で行うようにしてもよい。本発明の錠止装置はスロットマシンに限らず各種のゲーム機に適用できる。
【００２３】
【発明の効果】以上に説明したように、本発明によれば錠止装置のなかでも最も重量の嵩む施錠杆と、係合部材、施錠杆駆動部材および錠とをゲーム機の本体と扉とに分けて設けるので、扉の重量の増加を防止しつつゲーム機本体内に必要となる錠止装置の取付スペースも小さく抑えることができる。・・・」。
　　
　したがって、引用刊行物１には、　
「　複数の係止爪２１ａ、２１ａが設けられた施錠杆２１と、
　係止爪２１ａ、２１ａに対して係脱可能な係合突起２２ａ、２２ａを有する上下一対の係合部材２２、２２と、
　施錠杆２１を、係止爪２１ａと係合突起２２ａとが係合する係合位置と、係止爪２１ａと係合突起２２ａとの係合が解除される係合解除位置との間で移動させる施錠杆駆動部材２５と、
　所定の鍵の操作に基づいて、施錠杆駆動部材２５を介した施錠杆２１の係合解除位置への駆動を許容する解錠状態と、施錠杆２１を係合位置に拘束する施錠状態とを切り換える錠２７とを具備し、
　施錠杆２１をゲーム機の本体３に設け、その本体３を開閉する扉５に係合部材２２、施錠杆駆動部材２５および錠２７を設けて、扉の重量の増加を防止しつつゲーム機の本体内に必要となる取付スペースの拡大を抑えることが可能なゲーム機の錠止装置２０であって、
　前記施錠杆２１は、本体３の略上下方向に延びる長尺の板材として構成され、その上下端には第１係合部としての係止爪２１ａ、２１ａが設けられ、本体３に上下動自在に支持され、
　前記係合部材２２は扉５の内面に固定され、それぞれの本体３側の端部には、前記係止爪２１ａに対して係脱可能な第２係合部としての係合突起２２ａ、２２ａが設けられ、
　前記施錠杆２１は、引張コイルばね２４による下向きの引張力と自重とによってその移動範囲の最下端の係合位置に保持され、当該係合位置では係止爪２１ａ、２１ａと係合突起２２ａ、２２ａとが係合して扉５が閉位置に保持され、
　前記施錠杆駆動部材２５には、扉５の長孔５ｃを介して外方に突出する円柱状の操作摘み部２５ａと、施錠杆２１に向かって突出する板状の駆動突起２５ｂと、板状の拘束部２５ｃが設けられ、この駆動突起２５ｂは、扉５が閉じられたときに施錠杆２１の突起２１ｃの下端と係合し、
　前記錠２７は、扉５の操作摘み部２５ａの上方に設けられ、扉５の外面側に形成された鍵穴２８ａに所定の鍵が挿入された場合に限って回転操作が可能となる回動軸２８と、扉５の内面側において回動軸２８と連結された板状のロック部材２９とを有し、
　前記錠２７の回動軸２８を回転操作してロック部材２９を拘束部２５ｃと当接する位置に移動させると、施錠杆駆動部材２５の上方への移動が不可能となるため、筐体２の外側から操作摘み部２５ａを操作して施錠杆２１を上方に移動させることができず、この状態では、施錠杆２１は引張コイルばね２４の力と自重とによって、係止爪２１ａと係合部材２２の係合突起２２ａとが係合状態に保持されて、扉５を開くことはできず、
　一方、前記錠２７のロック部材２９をロック部材２９が拘束部２５ｃから離間した位置に移動させると、施錠杆駆動部材２５の上方への移動が許容され、扉５の施錠が解除され、筐体２の外側から操作摘み部２５ａを上方に操作して施錠杆駆動部材２５により施錠杆２１を上方の係合解除位置に駆動し、係止爪２１ａと係合部材２２の係合突起２２ａとの係合を解除して扉５を開放することが可能となるものであり、
　前記施錠杆駆動部材２５に代えて錠２７の回動軸２８にレバー状の施錠杆駆動部材を直接に装着し、施錠および解錠の切り換え操作と、施錠杆の駆動による扉の開閉操作とを同一個所で行うようにしてもよい、ゲーム機の錠止装置２０。」の発明（以下、「引用発明１」という。）が記載されていると認められる。　
　　　
　また、当審の拒絶理由に引用され、本願出願前に頒布された特開２００３−７０９６８号公報（以下、「引用刊行物２」という。）には、次の事項が記載されている。
　（２ａ）「【０００１】
【発明の属する技術分野】本発明は、スロットマシン、パチンコ機等のゲーム機の前扉の内側に取り付けられ、前扉を本体枠（キャビネット等）に対し施錠するゲーム機の施錠装置に関する。」、
　（２ｂ）「【００１２】
【発明の実施の形態】以下、本発明の実施例を図面に基づいて説明する。図１はスロットマシン用の施錠装置の右側面図を、図２はその背面図を、図３はその左側面図を、図４はその分解側面図を各々示している。１は縦長の基枠体で、取付板２と支持板３を断面Ｌ字状又は部分的に断面コ字状に曲折して一体成形してなり、基枠体１の支持板３の上部と下部に幅広の枢支部が形成される。・・・
【００１３】支持板３の上下の枢支部には、鉤部材４、５が下方に傾動可能に枢支ピン４ａ，５ａで枢支される。鉤部材４、５は三角形頭部を有しその中間部に係合凹部を有し、後述の受け金具２３の係止部２４、２５に係止可能である。基枠体１の内側には、図１に示すように、支持板３に沿って長尺の連結杆６が上下に摺動可能に配設され、連結杆６の上端は、鉤部材４の中間部に連結ピン４ｂで連結され、その下端は同様に下部の鉤部材５の中間部に連結ピン５ｂで連結される。
【００１４】図４に示すように、連結杆６の略中間部に、後述のカム板８の係合部８ａが係合する係合孔６ａが形成されると共に、係止凹部６ｂが後述の受け金具２３の中間部の係止片２６を係合可能に背面側に向けて設けられる。さらに、連結杆６は、その中間部に設けた長孔６ｃにガイドピン１６を通しそれを支持板３に固定することにより、支持板３に沿って摺動可能に支持される。この鉤部材４、５及びそれを動かす連結杆６は、ゲーム機の前扉用の施錠機構を構成する。」、
　（２ｃ）「【００１７】取付板２の略中央部分に、補助取付板９が左側に突き出すように固定され、その補助取付板９にシリンダ錠７を挿入するための孔が形成され、更に、リセットスイッチ（近接スイッチ又は光電スイッチ等）１３を取り付けるための取付部９ａが背面側に突き出すように立設される。・・・シリンダ錠７の錠軸にはスイッチ作動部８ｂと係合部８ａを持つカム板８が固定され、カム板８を図２時計方向に回動したとき、スイッチ作動部８ｂがリセットスイッチ１３に作用して、それをオンオフ動作させる。」、
　（２ｄ）「【００２５】このように、キーを右に回して、カム板８の係合部８ａを同方向に回動させれば、ロック部材１０を図１０のように揺動させてロックを外しながら、連結杆６を解錠方向に移動させ、鉤部材４、５を傾動させて、解錠することができる。キーを左に回せば、カム板８が同方向に回動し、そのスイッチ作動部８ｂがリセットスイッチ１３に作用して、スロットマシンをリセットさせる。」。
　
　したがって、引用刊行物２には、　
「　取付板２と支持板３を断面Ｌ字状に曲折して一体成形してなる縦長の基枠体１の支持板３の上下の枢支部には、鉤部材４、５が下方に傾動可能に枢支ピン４ａ，５ａで枢支され、基枠体１の内側には、支持板３に沿って長尺の連結杆６が上下に摺動可能に配設され、連結杆６の上端は、鉤部材４の中間部に連結ピン４ｂで連結され、その下端は同様に下部の鉤部材５の中間部に連結ピン５ｂで連結され、
　取付板２の略中央部分には、補助取付板９が左側に突き出すように固定され、その補助取付板９にシリンダ錠７を挿入するための孔が形成され、更に、リセットスイッチ（近接スイッチ又は光電スイッチ等）１３を取り付けるための取付部９ａが背面側に突き出すように立設され、シリンダ錠７の錠軸にはスイッチ作動部８ｂと係合部８ａを持つカム板８が固定され、カム板８を回動したとき、スイッチ作動部８ｂがリセットスイッチ１３に作用して、スロットマシンをリセットさせる、ゲーム機の施錠装置。」の発明（以下、「引用発明２」という。）が記載されていると認められる。
　　　
　また、当審の拒絶理由に引用され、本願出願前に頒布された特開平１１−３１９２７５号公報（以下、「引用刊行物３」という。）には、次の事項が記載されている。
　（３ａ）「【０００１】
【発明の属する技術分野】本発明は、パチスロ（主にパチンコホールに設置されるスロツトマシン）等のゲーム機の前面枠を施錠する施錠装置に関する。」、
　（３ｂ）「【０００８】ゲーム機にリセットをかける場合、シリンダ錠に挿入した鍵を上記とは逆方向つまり反解錠側に回す。すると、カム板が上記と逆に回動し、カム板に設けたスイッチ作動部が非接触スイッチ内に進入し或は近傍に近づき、これによって非接触スイッチがオンし、ゲーム機にリセットがかけられる。・・・」、
　（３ｃ）「【００１０】
【発明の実施の形態】以下、本発明の実施例を図面に基づいて説明する。図１はゲーム機用施錠装置の正面図を、図２は同左側面図を、第３図は同右側面図を示している。３は、取付板１と支持板２を断面略Ｌ字状に曲折して一体成形された縦長の基枠体で、基枠体３の支持板２の上下端には、鉤部材８が軸８ａにより揺動可能に軸支される。・・・
【００１１】両鉤部材８、８の中間部は帯状の連結杆９により連結される。連結杆９は、支持板２の内側に沿つて摺動可能に配設され、その先端と末端が、背面側に曲折されピン軸により鉤部材８、８の中間部に連結される。・・・
【００１２】支持板２の略中央部は一部切り欠かれ、その部分に錠取付板５が取付板１を正面左側に延設するように、つまり基枠体１の外側に突出する形態で設けられ、その錠取付板５上にシリンダ錠１０が取り付けられる。・・・シリンダ錠１０の錠軸１１の先端にカム板６が固定され、このカム板６は略Ｌ字形に形成され、連結杆係合部６ａとスイッチ作動部６ｂが各々先端部に設けられる。連結杆９の中間部、錠取付板５に対向した部分に、カム板６の係合部６ａが進入して係合する長孔部が設けられる。
【００１３】一方、錠取付部５上には非接触スイッチ（透過形光電スイッチ或は近接スイッチなど）７が取りつけられる。非接触スイッチ７は、シリンダ錠１０が鍵により左に操作され、錠軸１１つまりカム板６が同方向に所定の角度回動した時、そのスイッチ作動部６ｂが非接触スイッチ７内に進入し、それをオンさせる位置に配置される。非接触スイッチ７の取付部は、錠取付部５の一部を上方に垂直に曲げそこに矩形孔を設けるだけの簡単な構造でよく、取り付けもスイッチを嵌め込むだけで簡単に行なうことができる。」
　（３ｄ）「【００１８】一方、ゲーム機の前面枠２１を開く場合、鍵をシリンダ錠１０に差し込み、これを時計（右）方向に回す。シリンダ錠１０の錠軸１１がカム板６を図４の反時計方向に回し、カム板６上の係合部６ａが連結杆９の長孔に係合し、これを下方に摺動させる。この時、上下両端の鉤部材８が下方へ揺動し、受け金具２２、２３との係合が外れ、解錠状態となり、前面枠２１は開放可能な状態となる。
【００１９】リセット用の非接触スイッチ７を動作させてリセットをかける場合、解錠するための鍵を用いて、解錠とは反対方向つまり反時計方向に鍵を回す。この時、カム板６が図７の時計方向に回動し、その一部であるスイッチ作動部６ｂを非接触スイッチ７内に進入する。これによって、非接触スイッチ７が作動し、リセット信号が出力されリセットがかかる。・・・」。
　
　したがって、引用刊行物３には、　
「　取付板１と支持板２を断面略Ｌ字状に曲折して一体成形された縦長の基枠体３の該支持板２の上下端には、鉤部材８が軸８ａにより揺動可能に軸支され、
　支持板２の内側に沿つて摺動可能に配設される連結杆９は、その先端と末端が、背面側に曲折されピン軸により鉤部材８、８の中間部に連結され、
　支持板２の略中央部分に錠取付板５が取付板１を正面左側に延設するように設けられ、その錠取付板５上にシリンダ錠１０が取り付けられ、
　シリンダ錠１０の錠軸１１の先端にカム板６が固定され、このカム板６は略Ｌ字形に形成され、連結杆係合部６ａとスイッチ作動部６ｂが各々先端部に設けられ、
　錠取付部５上には非接触スイッチ（透過形光電スイッチ或は近接スイッチなど）７が取りつけられ、
　シリンダ錠に挿入した鍵を反解錠側に回すと、カム板６が回動し、カム板６に設けたスイッチ作動部６ｂが非接触スイッチ７内に進入し或は近傍に近づき、これによって非接触スイッチ７がオンし、ゲーム機にリセットがかけられる、ゲーム機の施錠装置。」の発明（以下、「引用発明３」という。）が記載されていると認められる。
　　　　　　
　また、当審の拒絶理由に引用され、本願出願前に頒布された特開平１０−１７９８８８号公報（以下、「引用刊行物４」という。）には、次の事項が記載されている。
　（４ａ）「【００１５】しかして、本発明の実施の形態のパチンコ機の施錠装置は、図２に示すように外枠１の開放側内面に取付けられる施錠部材９と、前面枠２の開放側裏面に取付けられる解錠部材１０の二部材によって構成される。」、
　（４ｂ）「【００１８】一方、前記解錠部材１０は、図５及び図６に示すように取付板２０と支持板２１とにより断面Ｌ字形に形成された基枠体２２と、シリンダ錠２３と、該シリンダ錠２３の錠軸２４に取付けられたカム板２５と、ガラス扉施錠杆２６とによって構成されている。
【００１９】前記基枠体２２は、取付板２０を前面枠２の開放側裏面に当てがつて複数のねじで固着される。また、基枠体２２の支持板２１の上下両端部には施錠部材９の鉤片１３ａ，１３ｂが係脱する係止部２７ａ，２７ｂが折曲によって一体に形成されている。
【００２０】前記シリンダ錠２３は、前面に鍵２８が挿入される鍵孔２９が形成された錠本体３０と取付片部３１とを一体に有する。また、基枠体２２の取付板２０にはシリンダ錠２３の錠本体３０を挿入する開口孔３２が穿設されている。」、
　（４ｃ）「【００２４】前記シリンダ錠２３の錠軸２４の後端には図７（ａ）に示すようにねじ孔４１が設けられている。また、錠軸２４の後端は取付片部３１から後方へ突出されており、その突出端は両側を平らに切削した楕円形の軸部２４ａとして形成されている。」
　（４ｄ）「【００３３】また、施錠装置を施錠部材と解錠部材の二部材で構成することによって従来のパチンコ機の施錠装置のように鉤片を有する施錠部材と該鉤片が係脱する上下の係止金具とを互いに位置決めしながら取付けるという面倒な手間を省略することができ、施錠装置の取付け作業を容易かつ迅速に行うことができる。」。
　
　したがって、引用刊行物４には、　
「　外枠１の開放側内面に取付けられる施錠部材９と、前面枠２の開放側裏面に取付けられる解錠部材１０の二部材によって構成される、パチンコ機の施錠装置であって、
　前記解錠部材１０は、取付板２０と支持板２１とにより断面Ｌ字形に形成された基枠体２２と、シリンダ錠２３と、該シリンダ錠２３の錠軸２４に取付けられたカム板２５と、ガラス扉施錠杆２６とによって構成され、
　前記基枠体２２の支持板２１の上下両端部には施錠部材９の鉤片１３ａ，１３ｂが係脱する係止部２７ａ，２７ｂが折曲によって一体に形成され、
　また、基枠体２２の取付板２０にはシリンダ錠２３の錠本体３０を挿入する開口孔３２が穿設されている、パチンコ機の施錠装置。」の発明（以下、「引用発明４」という。）が記載されていると認められる。
　　　　　　　　
第四、対比・検討　
　本願発明と引用発明１とを、対比する。
　（４−１）引用発明１の「係止爪２１ａ、２１ａ」は本願発明の「鉤部材」に相当し、以下同様に「ゲーム機」は「ゲーム機」に、「本体３」は「筐体」に、「係合突起２２ａ、２２ａ」は「係止部」に、「錠２７」は「シリンダ錠」に、「扉５」は「前扉」に、「錠止装置２０」は「施錠装置」に、「上下動自在」は「摺動可能」に、「施錠杆２１」は「連結杆」に、「突起２１ｃ」は「係合部」に、「回動軸２８」は「錠軸」に、それぞれ相当する。
　（４−２）引用発明１の「係止爪２１ａ、２１ａが設けられる施錠杆２１」は「本体３に支持され」るものであるから、引用発明１は本願発明の「基枠体に鉤部材を設けてユニット化された鉤部材ユニットがゲーム機の筐体に取り付けられ、」と比較して「鉤部材がゲーム機の筐体に取り付けられ、」において一致する。
　（４−３）引用発明１の「係止爪２１ａ、２１ａに対して係脱可能な係合突起２２ａ、２２ａを有する上下一対の係合部材２２、２２」及び「錠２７」は、「扉５に設け」られるものであるから、引用発明１は本願発明の「該鉤部材が係止される係止部とシリンダ錠を別の基枠体に設けてユニット化されたシリンダ錠ユニットが前扉に取り付けられ、該係止部は該シリンダ錠ユニットの基枠体の上部と下部に設けられ、」と比較して「該鉤部材が係止される係止部とシリンダ錠が前扉に取り付けられ、該係止部は上部と下部に設けられ、」において一致する。
　（４−４）引用発明１の「施錠杆２１」は、「本体３の略上下方向に延びる長尺の板材として構成され、その上下端には係止爪２１ａ、２１ａが設けられ、本体３に上下動自在に支持され」るものであり、また「施錠杆２１の突起２１ｃ」が当該施錠杆２１に設けられていることは明らかな事項であるから、引用発明１は本願発明の「該鉤部材ユニットの基枠体の上部と下部に前記鉤部材が該取付板から突出せずに該取付板の平面内で傾動可能に枢支され、該上下の鉤部材が該基枠体に沿って摺動可能に配設された連結杆により連結され、該連結杆に係合部が設けられ、」と比較して「上部と下部に前記鉤部材が配設され、該上下の鉤部材が摺動可能に配設された連結杆により連結され、該連結杆に係合部が設けられ、」において一致する。
　（４−５）引用発明１の「（前記）施錠杆駆動部材２５に代えて錠２７の回動軸２８にレバー状の施錠杆駆動部材を直接に装着し、施錠および解錠の切り換え操作と、施錠杆の駆動による扉の開閉操作とを同一個所で行うようにしてもよい、ゲーム機の錠止装置２０」との変更例について検討する。
　引用発明１は「施錠杆駆動部材２５には、円柱状の操作摘み部２５ａと、施錠杆２１に向かって突出する板状の駆動突起２５ｂと、板状の拘束部２５ｃが設けられ、この駆動突起２５ｂは、扉５が閉じられたときに施錠杆２１の突起２１ｃの下端と係合し」、「施錠杆駆動部材２５により施錠杆２１を上方の係合解除位置に駆動し、係止爪２１ａと係合部材２２の係合突起２２ａとの係合を解除」するものであるから、当該引用発明１は、施錠杆駆動部材２５の駆動突起２５ｂと施錠杆２１の突起２１ｃとの係合により、施錠杆２１を上方の係合解除位置に駆動するものであることは当該技術分野における技術常識から明らかである。
　そうすると、引用発明１の変更例は「錠２７の回動軸２８にレバー状の施錠杆駆動部材を直接に装着し、このレバー状の施錠杆駆動部材には、施錠杆２１に向かって突出する板状の駆動突起部材が設けられ、この駆動突起部材は、扉５が閉じられたときに施錠杆２１の突起２１ｃの下端と係合し、このレバー状の施錠杆駆動部材により施錠杆２１を上方の係合解除位置に駆動し、係止爪２１ａと係合部材２２の係合突起２２ａとの係合を解除する、ゲーム機の錠止装置２０」に係る構成を有しているといえる。
　したがって、当該引用発明１の変更例は本願発明の「該取付板の中央部の幅広部分に該シリンダ錠がその錠軸を該基枠体の内側に入れて取り付けられ、該錠軸にカム形状の係合部材が固定され、」及び「該係合部材には該前扉の閉鎖時に該鉤部材ユニット側の該連結杆の該係合部と直接係合可能な係合凸部が設けられると共に、該取付板に取り付けられた非接触スイッチをスイッチングさせるための作動片が該係合部材に設けられ、」並びに「該前扉の閉鎖時には、該シリンダ錠ユニットの該シリンダ錠の錠軸に固定された該係合部材の該係合凸部が、該鉤部材ユニットの該連結杆の該係合部と対峙する位置に進入し、該シリンダ錠の解錠操作時には、該シリンダ錠ユニットの該係合凸部が該鉤部材ユニットの該係合部に係合して該連結杆を解錠方向に摺動させる」と比較して、「該シリンダ錠の該錠軸にカム形状の係合部材が固定され、」及び「該係合部材には該前扉の閉鎖時に該連結杆の該係合部と直接係合可能な係合凸部が設けられ、」並びに「該前扉の閉鎖時には、該シリンダ錠の錠軸に固定された該係合部材の該係合凸部が、該連結杆の該係合部と対峙する位置に進入し、該シリンダ錠の解錠操作時には、該係合凸部が該係合部に係合して該連結杆を解錠方向に摺動させる」において一致するといえる。
　　
　よって、両者は、　
「　鉤部材がゲーム機の筐体に取り付けられ、該鉤部材が係止される係止部とシリンダ錠が前扉に取り付けられ、該係止部は上部と下部に設けられ、該筐体に対し該前扉を閉鎖したとき、該鉤部材が該係止部に係止されて施錠されるゲーム機の施錠装置であって、
　上部と下部に前記鉤部材が配設され、該上下の鉤部材が摺動可能に配設された連結杆により連結され、該連結杆に係合部が設けられ、
　該シリンダ錠の該錠軸にカム形状の係合部材が固定され、
　該係合部材には該前扉の閉鎖時に該連結杆の該係合部と直接係合可能な係合凸部が設けられ、
　該前扉の閉鎖時には、該シリンダ錠の錠軸に固定された該係合部材の該係合凸部が、該連結杆の該係合部と対峙する位置に進入し、該シリンダ錠の解錠操作時には、該係合凸部が該係合部に係合して該連結杆を解錠方向に摺動させる、ゲーム機の施錠装置。」である点で一致し、次の点で相違する。
　
　相違点１　
　ゲーム機の筐体に取り付けられるものが、本願発明では基枠体に鉤部材を設けてユニット化された鉤部材ユニットであるのに対し、引用発明１では「複数の係止爪２１ａ、２１ａが設けられた施錠杆２１」であり、ユニット化されていない点。　
　相違点２
　前扉に取り付けられるものが、本願発明では係止部とシリンダ錠を別の基枠体に設けてユニット化されたシリンダ錠ユニットであるのに対し、引用発明１では「係合突起２２ａ、２２ａ」及び「錠２７」であり、ユニット化されていない点。　
　相違点３　
　本願発明は、「鉤部材ユニットの該基枠体は、平板で帯状の取付板の前面側の縁を小さくＬ形に折り曲げて曲折縁部を形成した正面視薄形形状に形成され」、「鉤部材ユニットの基枠体の上部と下部に鉤部材が該取付板から突出せずに該取付板の平面内で傾動可能に枢支され、該上下の鉤部材が該基枠体に沿って摺動可能に配設された連結杆により連結され」ているのに対し、引用発明１は、基枠体を備えておらず、複数の係止爪２１ａ、２１ａが設けられた施錠杆２１が本体３に上下動自在に支持される点。
　相違点４　
　本願発明では、「シリンダ錠ユニットの基枠体は細いＬ型のフレーム状に形成され、該基枠体の正面側に取付板が形成され、該取付板の中央部の幅広部分に該シリンダ錠がその錠軸を該基枠体の内側に入れて取り付けられ」、「シリンダ錠ユニットの基枠体の上部と下部に係止部が設けられ」、「該取付板に取り付けられた非接触スイッチをスイッチングさせるための作動片が（錠軸に固定されるカム形状の）係合部材に設けられ」るのに対し、引用発明１では、「上部と下部に係止部（係合突起２２ａ、２２ａ）が設けられ」ているが、基枠体及び非接触スイッチ並びに作動片を備えておらず、また錠２７の取付手段が明らかでない点。
　
　上記相違点について検討する。　
　相違点１及び相違点３は、関連性が高いので、まとめて検討する。
　基枠体に鉤部材を設けてユニット化された鉤部材ユニットにおいて、該基枠体は、平板で帯状の取付板の前面側の縁を小さくＬ形に折り曲げて曲折縁部を形成した正面視薄形形状に形成され、該基枠体の上部と下部に鉤部材が傾動可能に枢支され、該上下の鉤部材が該基枠体に沿って摺動可能に配設された連結杆により連結されている、鉤部材ユニットは、例えば、引用発明２の「支持板３の上下の枢支部に鉤部材４、５が枢支され、支持板３に沿って長尺の連結杆６が上下に摺動可能に配設される、断面Ｌ字状の基枠体１」、及び引用発明３の「支持板２の上下端に鉤部材８が揺動可能に軸支され、支持板２の内側に沿つて連結杆９が摺動可能に配設される、断面略Ｌ字状の基枠体３」のように、ゲーム機の施錠装置においては周知・慣用の技術（以下、「周知・慣用の技術１」という。）である。そして、鉤部材と該鉤部材を枢支する取付板との関連構成をどのようなものとするかは組立時の容易性や点検時の作業性などを考慮して当業者が適宜なし得る設計上の事項であり、また「取付部から筐体本体側へ突出せずに、前扉に傾動可能に枢支される鉤部材」が、例えば、特開２０００−９６８９４号公報に示された「支持プレート２８に回動可能に保持されているロックカム２７」（【００１９】、【図３】、【図５】参照）及び実願昭５０−６７８６５号（実開昭５１−１４８３９４号）のマイクロフィルムに示された「扉２０内に設けられた鉤止部材２５，２６」（明細書第７頁第６−７行、【第２図】参照）のように、施錠装置の技術分野においては周知・慣用の技術（以下、「周知・慣用の技術２」という。）であることを併せ考慮すれば、前記「周知・慣用の技術１」を引用発明１の「上下の鉤部材（複数の係止爪２１ａ、２１ａ）が設けられた連結杆（施錠杆２１）」に適用する際に、鉤部材と該鉤部材を枢支する取付板との関連構成を適宜限定し、相違点１及び相違点３に係る本願発明を特定する事項とすることは、当業者が容易になし得ることである。
　
　相違点２及び相違点４は、関連性が高いので、まとめて検討する。
　引用発明４には「係止部（係止部２７ａ，２７ｂ）とシリンダ錠（シリンダ錠２３）を別の基枠体（施錠部材９とは異なる解錠部材１０の基枠体２２）に設けてユニット化されたシリンダ錠ユニット（解錠部材１０）において、該基枠体は細いＬ型のフレーム状（断面Ｌ字形）に形成され、該基枠体の上部と下部に係止部（係止部２７ａ，２７ｂ）が設けられ、該基枠体の正面側に取付板（取付板２０）が形成され、該取付板の中央部の幅広部分に該シリンダ錠（シリンダ錠２３）がその錠軸（錠軸２４）を該基枠体の内側に入れて取り付けられる、シリンダ錠ユニット」が記載されている。また、「シリンダ錠を基枠体に設けてユニット化されたシリンダ錠ユニットにおいて、該基枠体は細いＬ型のフレーム状に形成され、該基枠体の正面側に取付板が形成され、該取付板の中央部の幅広部分に該シリンダ錠がその錠軸を該基枠体の内側に入れて取り付けられ、該取付板に取り付けられた非接触スイッチをスイッチングさせるための作動片が錠軸に固定されるカム形状の係合部材に設けられる、シリンダ錠ユニット」は、例えば、引用発明２の「取付板２の略中央部分に、補助取付板９が突き出すように固定され、その補助取付板９に、スイッチ作動部８ｂと係合部８ａを持つカム板８が錠軸に固定されるシリンダ錠７を挿入するための孔が形成され、更に、リセットスイッチ（近接スイッチ又は光電スイッチ等）１３を取り付けるための取付部９ａが背面側に突き出すように立設される、断面Ｌ字状の基枠体１」、及び引用発明３の「支持板２の略中央部分に錠取付板５が設けられ、その錠取付板５上に、連結杆係合部６ａとスイッチ作動部６ｂが各々先端部に設けられるカム板６が錠軸１１の先端に固定されるシリンダ錠１０が取り付けられ、また錠取付部５上には、ゲーム機にリセットをかける非接触スイッチ（透過形光電スイッチ或は近接スイッチなど）７が取りつけられる、断面略Ｌ字状の基枠体３」のように、ゲーム機の施錠装置においては周知・慣用の技術（以下、「周知・慣用の技術３」という。）である。したがって、引用発明４及び上記周知・慣用の技術３を引用発明１の「前扉（扉５）に設けられた係止部（係合突起２２ａ、２２ａ）及びシリンダ錠（錠２７）」に適用し、相違点２及び相違点４に係る本願発明を特定する事項とすることは、当業者が容易になし得ることである。
　　　
　そして、引用発明１は「扉の重量の増加を防止しつつゲーム機の本体内に必要となる取付スペースの拡大を抑えることが可能な」ものであるから、本願発明による効果に格別のものは認められない。　
　　　　　
第五、むすび　
　以上のとおり、本願発明は、「引用発明１」及び「引用発明４」並びに「周知・慣用の技術１乃至３」に基いて当業者が容易に発明をすることができたものであるから、本願は、特許法第２９条第２項の規定により、特許を受けることができない。
　
　よって、結論のとおり審決する。